(57)【要約】【課題】電界伝達媒体を介して情報の送受信を行う電界通信を用いた電界通信システムにおいて、携帯端末を使用するユーザの正当性を容易かつ安全に認証し、第三者の不正利用を防止する。【解決手段】電界通信を行う携帯端末１と、携帯端末１と電界伝達媒体を介して電界通信を行う処理装置とを有する電界通信システムであって、携帯端末１は、当該携帯端末１を使用する第１のユーザの顔画像を記憶する第１の画像記憶手段２３と、第1の画像記憶手段２３に記憶された顔画像を表示する第１の表示手段２２と、を有し、処理装置は、第１の表示手段２２に表示された顔画像と第１のユーザの顔との照合結果を、当該処理装置を使用する第２のユーザから受け付ける受付手段と、照合結果が成功の場合に、所定の業務処理を行う処理手段とを有する。【選択図】図１
2009224893.tif 000002
【特許請求の範囲】
【請求項１】
電界伝達媒体を介して通信する電界通信を用いた電界通信システムであって、
送信すべき情報に基づく電界を電界伝達媒体に誘起させるとともにこの誘起した電界を検出して情報の送受信を行う携帯端末と、前記携帯端末と電界伝達媒体を介して電界通信を行う処理装置とを有し、
前記携帯端末は、
当該携帯端末を使用する第１のユーザの顔画像を記憶する第１の画像記憶手段と、
前記第1の画像記憶手段に記憶された顔画像を表示する第１の表示手段と、を有し、
前記処理装置は、
前記第１の表示手段に表示された顔画像と、前記第１のユーザの顔との照合結果を、当該処理装置を使用する第２のユーザから受け付ける受付手段と、
前記照合結果が成功の場合に、所定の業務処理を行う処理手段と、を有すること
を特徴とする電界通信システム。
【請求項２】
請求項１記載の電界通信システムであって、
前記携帯端末は、
前記第１のユーザの個人情報を送信する送信手段をさらに有し、
前記処理装置は、
複数のユーザの個人情報が記憶された個人情報記憶手段と、を有し、
前記処理手段は、前記携帯端末から送信された個人情報が前記個人情報記憶手段に存在する場合に、前記所定の業務処理を行うこと
を特徴とする電界通信システム。
【請求項３】
請求項２記載の電界通信システムであって、
前記処理装置は、
前記第２のユーザの顔画像を記憶する第２の画像記憶手段と、
前記第２の画像記憶手段に記憶された顔画像を表示する第２の表示手段と、をさらに有し、
前記携帯端末は、
前記第２の表示手段に表示された顔画像と、前記第２のユーザの顔との照合結果を、前記第１のユーザから受け付ける受付手段をさらに有し、
前記送信手段は、前記照合結果が成功の場合に、前記個人情報を送信すること
を特徴とする電界通信システム。
【請求項４】
電界伝達媒体を介して通信する電界通信を用いた電界通信システムにおける電界通信方法であって、
前記電界通信システムは、送信すべき情報に基づく電界を電界伝達媒体に誘起させるとともにこの誘起した電界を検出して情報の送受信を行う携帯端末と、前記携帯端末と電界伝達媒体を介して電界通信を行う業務処理装置とを有し、
前記携帯端末は、
当該携帯端末を使用する第１のユーザの顔画像を記憶する第１の画像記憶部に記憶された顔画像を表示する第１の表示ステップを行い、
前記処理装置は、
前記第１の表示ステップで表示された顔画像と、前記第１のユーザの顔との照合結果を、当該処理装置を使用する第２のユーザから受け付ける受付ステップと、
前記照合結果が成功の場合に、所定の業務処理を行う処理ステップと、を行うこと
を特徴とする電界通信方法。
【請求項５】
請求項４記載の電界通信方法であって、
前記携帯端末は、
前記第１のユーザの個人情報を送信する送信ステップをさらに行い、
前記処理装置の前記処理ステップは、前記携帯端末から送信された個人情報が、複数のユーザの個人情報が記憶された個人情報記憶手段に存在する場合に、前記所定の業務処理を行うこと
を特徴とする電界通信方法。
【請求項６】
請求項５記載の電界通信方法であって、
前記処理装置は、
前記第２のユーザの顔画像を記憶する第２の画像記憶部に記憶された顔画像を表示する第２の表示ステップをさらに行い、
前記携帯端末は、
前記第２の表示ステップで表示された顔画像と、前記第２のユーザの顔との照合結果を、前記第１のユーザから受け付ける受付ステップをさらに行い、
前記送信ステップは、前記照合結果が成功の場合に、前記個人情報を送信すること
を特徴とする電界通信方法。
【発明の詳細な説明】
【技術分野】
【０００１】
本発明は、送信すべき情報に基づく電界を電界伝達媒体に誘起させるとともにこの誘起した電界を検出して情報の送受信を行う電界通信システムに関する。
【背景技術】
【０００２】
携帯端末の小型化および高性能化によりウェアラブルコンピュータが注目されているが、図９はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、電界信号検出技術を利用していて、送信すべき情報に基づく電界を電界伝達媒体である生体に誘起させ、この誘起した電界を用いて情報の送受信を行うものである。なお、トランシーバ９については、特許文献１および特許文献２に記載されている。
【特許文献１】特開２００１−３５２２９８号公報
【特許文献２】特開２００６−０８１１１１号公報
【発明の開示】
【発明が解決しようとする課題】
【０００４】
さて、上記のような小型の携帯端末では、紛失や盗難の可能性があり、悪意のある第三者がなりすましにより不正利用する危険がある。このような第三者の使用を回避する方法としては、ユーザの指紋や静脈などの生体認証が考えられるが、生体情報を取得および照合には専用の複雑なシステムが必要となり、システムの導入に大きなコストや負荷を要する。
【０００５】
本発明は、上記課題を解決するためになされたものであり、電界伝達媒体を介して情報の送受信を行う電界通信を用いた電界通信システムにおいて、携帯端末を使用するユーザの正当性をより容易にかつより安全に認証し、第三者の不正利用を防止することを目的とする。
【課題を解決するための手段】
【０００６】
上記目的を達成するため、本発明は、電界伝達媒体を介して通信する電界通信を用いた電界通信システムであって、送信すべき情報に基づく電界を電界伝達媒体に誘起させるとともにこの誘起した電界を検出して情報の送受信を行う携帯端末と、前記携帯端末と電界伝達媒体を介して電界通信を行う処理装置とを有し、前記携帯端末は、当該携帯端末を使用する第１のユーザの顔画像を記憶する第１の画像記憶手段と、前記第1の画像記憶手段に記憶された顔画像を表示する第１の表示手段と、を有し、前記処理装置は、前記第１の表示手段に表示された顔画像と、前記第１のユーザの顔との照合結果を、当該処理装置を使用する第２のユーザから受け付ける受付手段と、前記照合結果が成功の場合に、所定の業務処理を行う処理手段と、を有する。
【０００７】
また、本発明は、電界伝達媒体を介して通信する電界通信を用いた電界通信システムにおける電界通信方法であって、前記電界通信システムは、送信すべき情報に基づく電界を電界伝達媒体に誘起させるとともにこの誘起した電界を検出して情報の送受信を行う携帯端末と、前記携帯端末と電界伝達媒体を介して電界通信を行う業務処理装置とを有し、前記携帯端末は、当該携帯端末を使用する第１のユーザの顔画像を記憶する第１の画像記憶部に記憶された顔画像を表示する第１の表示ステップを行い、前記処理装置は、前記第１の表示ステップで表示された顔画像と、前記第１のユーザの顔との照合結果を、当該処理装置を使用する第２のユーザから受け付ける受付ステップと、前記照合結果が成功の場合に、所定の業務処理を行う処理ステップと、を行う。
【発明の効果】
【０００８】
本発明によれば、電界伝達媒体を介して情報の送受信を行う電界通信を用いた電界通信システムにおいて、携帯端末を使用するユーザの正当性をより容易にかつより安全に認証し、第三者の不正利用を防止することができる。
【発明を実施するための最良の形態】
【０００９】
＜第１の実施形態＞
以下、本発明の第１の実施形態を、図面を用いて説明する。
【００１０】
本実施形態は、送信すべき情報に基づく電界を電界伝達媒体に誘起させるとともにこの誘起した電界を検出して情報の送受信を行う携帯端末において、当該携帯端末を使用するユーザの正当性を認証し、第三者のなりすましによる携帯端末の不正使用を防止するものである。
【００１１】
本実施形態の電界通信システムでは、本人認証が必要な場合に、携帯端末の表示装置（ディスプレイ）に正当なユーザの顔画像を表示させ、相手に提示する。相手は、携帯端末に表示された顔画像と、携帯端末を所持しているユーザの顔とを見比べて、本人であることを確認する。
【００１２】
すなわち、本実施形態では、携帯端末と処理装置とが電界伝達媒体を介した電界通信を行う際に、本人認証に必要な顔画像を表示し、本人認証の結果に応じて、その後の処理を継続または中止する。以下に説明する本実施形態では、ユーザが使用する携帯端末は決済機能を有し、処理装置は店舗に設置された装置であって、電界伝達媒体であるユーザが処理装置に接触することにより携帯端末を用いて決済（商品の購入等）を行うものとする。
【００１３】
図１は、ユーザが携帯する携帯端末１の概略構成図である。
【００１４】
本実施形態の携帯端末１は、コンピュータ２と、トランシーバ３とを有する。コンピュータ２は、制御部２１と、表示部２２（第１の表示手段）と、画像記憶部２３（第１の画像記憶手段）と、データ記憶部２４とを有する。制御部２１は、各部２２〜２４を制御するとともに、トランシーバ３を用いて処理装置４と各種情報の送受信を行う。表示部２２は、画像記憶部２３に記憶された、顔画像を表示装置に表示する。画像記憶部２３には、当該携帯端末１の正当なユーザ（使用者）の顔画像が記憶され。データ記憶部２４には、個人データ（例えば、ユーザＩＤ、パスワード等）、および処理データ（例えば、決済データなど）が記憶される。
【００１５】
トランシーバ３は、電界信号検出技術を利用していて、送信すべき情報に基づく電界を電界伝達媒体である生体に誘起させ、この誘起した電界を用いて情報の送受信を行うものである。
【００１６】
例えば、トランシーバ３は、図１に示す構成をしており、コンピュータ２からの送信データを入出力（Ｉ／Ｏ）回路９０１を介して受け取ると、この送信データを送信部９０２を介して電極９０３に供給し、当該電極９０３および絶縁膜９０４を介して電界伝達媒体に電界を誘起させ、この電界を電界伝達媒体の他の部位に伝達させる。
【００１７】
また、トランシーバ３は、電界伝達媒体に誘起されて伝達されてくる電界を絶縁膜９０４を介して電極９０３で検出し、この電界を電界検出光学部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ２に出力するようになっている。
【００１８】
なお、携帯端末１のトランシーバは、図２に示す構成のトランシーバであってもよい。
【００１９】
図２に示すトランシーバ３Ｂは、送信すべき情報に基づく電界を電界伝達媒体である生体に誘起させ、この誘起した電界を用いて情報の送受信を行うトランシーバであって、データを送信するための送信部８０２と、データを受信するための受信部８０３と、Ｉ／Ｏ回路９０１と、電極９０３と、絶縁膜９０４と、を備える。
【００２０】
トランシーバ３Ｂは、コンピュータ２からの送信データを入出力（Ｉ／Ｏ）回路９０１を介して受け取ると、この送信データを送信部８０２を介して電極９０３に供給し、当該電極９０３および絶縁膜９０４を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００２１】
また、トランシーバ３Ｂは、電界伝達媒体に誘起されて伝達されてくる電界を絶縁膜９０４を介して電極９０３で検出し、この電界を受信部８０３で受信データに変換して入出力回路９０１を介してコンピュータ２に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。
【００２２】
図２に示すトランシーバ３Ｂの場合、コンピュータ２は、送信データとともに送受切替信号をトランシーバ３Ｂに対して出力するものとする。送受切替信号は、トランシーバ３Ｂに対して送信と受信の動作の切替を指示するための信号である。
【００２３】
図３は、携帯端末１の外観図および断面図である。図３（ａ）の外観図に示すように、携帯端末１は、顔画像を表示する表示装置（ディスプレイ）２９を備える。また、図３（ｂ）の断面図に示すように、携帯端末１内の上部（表示装置２９以外）および下部には、送受信電極９０３および絶縁膜９０４が設置されている。
【００２４】
図４は、本実施形態の処理装置４の概略構成図である。
【００２５】
本実施形態の処理装置４は、コンピュータ５と、トランシーバ６とを有する。コンピュータ５は、制御部５１と、受付部５２と、処理部５３と、個人情報記憶部５４とを有する。制御部５１は、各部５２〜５４を制御するとともに、トランシーバ６を用いて携帯端末１と各種情報の送受信を行う。受付部５２は、当該処理装置４を使用するユーザ（例えば、店員などのサービス提供者）の指示を受け付ける。処理部５３は、携帯端末１を所持しているユーザが、携帯端末の正当な所有者である場合に、決済処理などの所定の業務処理を行う。個人情報記憶部５４には、各携帯端末１を使用する正当な各ユーザの個人データ（例えば、ユーザＩＤ、パスワード等）が記憶されている。なお、個人情報記憶部５４は、当該処理装置４とネットワークを介して接続されるセンタサーバ（不図示）が有することとしてもよい。
【００２６】
なお、携帯端末１のコンピュータ２および処理装置４のコンピュータ５は、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、各コンピュータ２、５の各機能が実現される。
【００２７】
次に、本実施形態の処理について説明する。
【００２８】
図５は、携帯端末１を携帯したユーザが、店舗等に設置された処理装置４のトランシーバ６に接触することにより、携帯端末１を用いて決済を行う（商品を購入する）処理のシーケンス図である。なお、携帯端末１を使用するユーザをユーザＡ（第１のユーザ）とし、処理装置４を使用するサービス提供者（例えば、店員）をユーザＢ（第２のユーザ）とする。
【００２９】
まず、携帯端末１を携帯しているユーザＡは、レジカウンターなどに設置された処理装置４のトランシーバ６の電極９０３および絶縁膜９０４に接触する。これにより、携帯端末１のコンピュータ２と、処理装置４のコンピュータ５との間で、携帯端末１のトランシーバ３、電界伝達媒体であるユーザＡの人体、および処理装置４のトランシーバ６を介した通信路が確立される（Ｓ１０）。
【００３０】
そして、携帯端末１の制御部２１は、前記通信路を介して、決済要求を処理装置４に送信する（Ｓ１１）。処理装置４の制御部５１は、決済要求を受信すると、前記通信路を介して顔画像表示要求を携帯端末１に送信する（Ｓ１２）。
【００３１】
携帯端末１の表示部２２は、顔画像表示要求を受信することにより、画像記憶部２３にあらかじめ記憶された顔画像を、当該携帯端末１のディスプレイに表示する（Ｓ１３）。なお、顔画像表示要求を受信するまでは（すなわち通常時においては）、ディスプレイには顔画像が表示されていないものとする。
【００３２】
このとき、携帯端末１のユーザＡは、処理装置４を使用するユーザＢに、顔画像が表示された携帯端末１を提示する。ユーザＢは、携帯端末１に表示された顔画像と、当該携帯端末を携帯しているユーザＡの顔とを照合する。そして、ユーザＢは、目の前にいるユーザＡの顔と表示された顔画像とが同一人物であると判断した場合、ユーザＡが当該携帯端末の正当なユーザであると認定する。一方、目の前にいるユーザＡの顔と表示された顔画像とが同一人物ではない判断した場合、ユーザＡが当該携帯端末の不正なユーザであると認定する。そして、ユーザＢは、認定結果（ＯＫ：成功またはＮＧ：失敗）を、処理装置４に入力する。
【００３３】
処理装置４の受付部５２は、ユーザの認定結果を受け付ける（Ｓ１４）。ＯＫの認定結果の場合、処理装置４の制御部５１は、本人確認ＯＫ応答を、前記通信路を介して携帯端末１に送信する（Ｓ１５）。ＮＧの認定結果の場合、制御部５１は、以降の処理を中止し、エラーメッセージなどを出力する。
【００３４】
携帯端末１の制御部２１は、本人確認ＯＫ応答を受信すると、データ記憶部２４にあらかじめ記憶されている個人情報（ユーザＩＤ、パスワード等）を、前記通信路を介して処理装置４に送信する（Ｓ１６）。
【００３５】
処理装置４の制御部５１は、携帯端末１から受信した個人データが個人情報記憶部５４に記憶された正当な個人データか否かを判別する。個人情報記憶部５４に記憶された個人データの場合、制御部５１は、個人データＯＫ応答を、前記通信路を介して携帯端末１に送信する（Ｓ１７）。受信した個人データが個人情報記憶部５４に記憶されていない場合、制御部５１は、以降の処理を中止し、エラーメッセージなどを出力する。
【００３６】
携帯端末１の制御部２１は、個人データＯＫ応答を受信すると、データ記憶部２４に記憶されている所定の決済データを、記通信路を介して処理装置４に送信する（Ｓ１８）。処理装置４の処理部５３は、携帯端末１から受信した決済データに基づいて、決済処理を行う（Ｓ１９）。
【００３７】
なお、Ｓ１３の顔画像の表示において、本実施形態では、画像記憶部２３にあらかじめ記憶された顔画像を携帯端末１に表示することとしたが、他の方法により顔画像を表示することとしてもよい。例えば、処理装置４とネットワークを介して接続されたセンタサーバ（不図示）が携帯端末１の正当なユーザの顔画像を格納しているものとする。携帯端末１は、処理装置４を介してセンタサーバから当該携帯端末１の正当なユーザの顔画像を取得し、その都度、画像記憶部２３に取得した顔画像を書き込み、携帯端末１に表示することととしてもよい。
【００３８】
以上説明した第１の実施形態の電界通信システムでは、携帯端末を用いて所定のサービス提供を受ける場合（すなわち、携帯端末を使用する場合）、当該携帯端末のディスプレイに正当な持ち主の顔画像を表示し、サービス提供者に提示する。サービス提供者は、表示された顔画像と携帯端末を所持しているユーザとが、同一人物かを否かを確認し確認結果を処理装置に入力する。処理装置は、サービス提供者の確認結果に基づいて、所定のサービスを実行または中止する。
【００３９】
これにより、本実施形態では、携帯端末を使用するユーザの正当性をより容易にかつより安全に認証し、第三者の不正利用を防止することができる。すなわち、本実施形態では、紛失または盗難により、悪意のある第三者が携帯端末を取得した場合であっても、なりすましによる携帯端末の不正利用を防止することができる。また、本実施形態では、顔画像を表示することで本人認証を行うため、指紋や静脈などの生体認証を行う場合に必要となる複雑かつ大規模な認証システムが不要であり、システムの構築・導入コストを低減することができる。
【００４０】
また、本実施形態では、携帯端末を使用する際に初めて顔画像が表示されるため、紛失や盗難などで携帯端末を取得した第三者は、取得した時点では正当なユーザの顔がわからない。そのため、顔画像に似せるなどの偽装行為して、携帯端末を使用する不正行為を防止することができる。
【００４１】
また、本実施形態では、顔画像による本人認証のほかに、個人データ（ユーザＩＤ、パスワード等）による認証も行うことで、より高度なユーザ認証を実現することができる。
【００４２】
＜第２の実施形態＞
以下、本発明の第２の実施形態を、図面を用いて説明する。
【００４３】
第２の実施形態では、携帯端末に顔画像を表示し、携帯端末を所持しているユーザの本人認証を行うだけでなく、処理装置においても当該処理装置を使用するサービス提供者の顔画像を表示し、サービス提供者の本人認証を行うものとする。
【００４４】
図６は、本実施形態の携帯端末１の概略構成図である。本実施形態の携帯端末１は、コンピュータ２とトランシーバ３とを有し、コンピュータ２が受付部２５をさらに備える点において第１の実施形態の携帯端末（図１参照）と異なり、その他は第１の実施形態の携帯端末と同様である。受付部２５は、当該携帯端末１を所持するユーザの指示を受け付ける。
【００４５】
図７は、本実施形態の処理装置４の概略構成図である。本実施形態の処理装置４は、店舗などに設置された装置ではなく、携帯端末１と同様の携帯型の処理装置である。本実施形態の処理装置４は、例えば訪問販売などで用いられるものとする。
【００４６】
図示する処理装置４は、コンピュータ５とトランシーバ６とを有し、コンピュータ５が表示部５５（第２の表示手段）および画像記憶部５６（第２の画像記憶手段）をさらに備える点において第１の実施形態の処理装置（図４参照）と異なり、その他は第１の実施形態の処理装置と同様である。表示部５５は、画像記憶部５６に記憶された、顔画像を表示装置に表示する。画像記憶部５６には、当該処理装置４を使用する正当なユーザであるサービス提供者の顔画像が記憶される。
【００４７】
なお、本実施形態の携帯端末１および処理装置４のトランシーバ３、６は、図２で説明したトランシーバ３Ｂを用いることとしてもよい。
【００４８】
次に、本実施形態の処理について説明する。
【００４９】
図８は、携帯端末１を携帯したユーザが、携帯型の処理装置４のトランシーバ６に接触することにより、携帯端末１を用いて決済を行う（商品を購入する）処理のシーケンス図である。なお、携帯端末１を使用するユーザをユーザＡ（第１のユーザ）とし、処理装置４を使用するサービス提供者（例えば、店員）をユーザＢ（第２のユーザ）とする。
【００５０】
まず、携帯端末１を携帯しているユーザＡは、携帯型の処理装置４のトランシーバ６の電極９０３および絶縁膜９０４に接触する。これにより、携帯端末１のコンピュータ２と、処理装置４のコンピュータ５との間で、携帯端末１のトランシーバ３、電界伝達媒体であるユーザＡの人体、および処理装置４のトランシーバ６を介した通信路が確立される（Ｓ３０）。
【００５１】
そして、携帯端末１の制御部２１は、前記通信路を介して、決済要求を処理装置４に送信する（Ｓ３１）。処理装置４の制御部５１は、決済要求を受信すると、前記通信路を介して顔画像表示要求を携帯端末１に送信する（Ｓ３２）。
【００５２】
携帯端末１の表示部２２は、顔画像表示要求を受信することにより、画像記憶部２３にあらかじめ記憶された顔画像を、当該携帯端末１のディスプレイに表示する（Ｓ３３）。なお、顔画像表示要求を受信するまでは（すなわち通常時においては）、ディスプレイには顔画像が表示されていないものとする。
【００５３】
このとき、携帯端末１のユーザＡは、処理装置４を使用するユーザＢに、顔画像が表示された携帯端末１を提示する。ユーザＢは、携帯端末１に表示された顔画像と、当該携帯端末を携帯しているユーザＡの顔とを照合する。そして、ユーザＢは、目の前にいるユーザＡの顔と表示された顔画像とが同一人物であると判断した場合、ユーザＡが当該携帯端末の正当なユーザであると認定する。一方、目の前にいるユーザＡの顔と表示された顔画像とが同一人物ではない判断した場合、ユーザＡが当該携帯端末の不正なユーザであると認定する。そして、ユーザＢは、認定結果（ＯＫまたはＮＧ）を、処理装置４に入力する。
【００５４】
処理装置４の受付部５２は、ユーザの認定結果を受け付ける（Ｓ３４）。ＯＫの認定結果の場合、処理装置４の制御部５１は、本人確認ＯＫ応答を、前記通信路を介して携帯端末１に送信する（Ｓ３５）。ＮＧの認定結果の場合、制御部５１は、以降の処理を中止し、エラーメッセージなどを出力する。
【００５５】
携帯端末１の制御部２１は、本人確認ＯＫ応答を受信すると、前記通信路を介して、顔画像表示要求を処理装置４に送信する（Ｓ３６）。処理装置４の表示部５５は、顔画像表示要求を受信することにより、画像記憶部５６にあらかじめ記憶された顔画像を、当該処理装置４のディスプレイに表示する（Ｓ３７）。
【００５６】
このとき、処理装置４のユーザＢは、携帯端末のユーザＡに、顔画像が表示された処理装置４を提示する。ユーザＡは、処理装置４に表示された顔画像と、当該処理装置を携帯しているユーザＢの顔とを照合する。そして、ユーザＡは、目の前にいるユーザＢの顔と表示された顔画像とが同一人物であると判断した場合、ユーザＢが当該処理装置の正当なユーザであると認定する。一方、目の前にいるユーザＢの顔と表示された顔画像とが同一人物ではない判断した場合、ユーザＢが当該処理装置の不正なユーザであると認定する。そして、ユーザＡは、認定結果（ＯＫまたはＮＧ）を、携帯端末１に入力する。
【００５７】
携帯端末１の受付部２５は、ユーザＡの認定結果を受け付ける（Ｓ３８）。ＯＫの認定結果の場合、携帯端末１の制御部２１は、データ記憶部２４にあらかじめ記憶されている個人情報（ユーザＩＤ、パスワード等）を、前記通信路を介して処理装置４に送信する（Ｓ３９）。ＮＧの認定結果の場合、制御部２１は、以降の処理を中止し、エラーメッセージなどを出力する。
【００５８】
処理装置４の制御部５１は、携帯端末１から受信した個人データが個人情報記憶部５４に記憶された正当な個人データか否かを判別する。個人情報記憶部５４に記憶された個人データの場合、制御部５１は、個人データＯＫ応答を、前記通信路を介して携帯端末１に送信する（Ｓ４０）。受信した個人データが個人情報記憶部５４に記憶されていない場合、制御部５１は、以降の処理を中止し、エラーメッセージなどを出力する。
【００５９】
携帯端末１の制御部２１は、個人データＯＫ応答を受信すると、データ記憶部２４に記憶されている所定の決済データを、記通信路を介して処理装置４に送信する（Ｓ４１）。処理装置４の処理部５３は、携帯端末１から受信した決済データに基づいて、決済処理を行う（Ｓ４２）。
【００６０】
なお、Ｓ３３およびＳ３７の顔画像の表示においては、第１の実施形態で説明したように、携帯端末１および処理装置４は、センタサーバから当該携帯端末１または処理装置４の正当なユーザの顔画像を取得し、携帯端末１または処理装置４に表示することととしてもよい。
【００６１】
以上説明した第２の実施形態では、携帯端末を使用するユーザの正当性をより容易にかつより安全に認証するだけでなく、処理装置を使用するサービス提供者の正当性についてもより容易にかつより安全に認証することができる。すなわち、例えば訪問販売などでサービス提供者の正当性に不安を抱く場合であっても、ユーザはサービス提供者の顔と処理装置に表示された顔画像とを照合し、サービス提供者の正当性を判断することができる。これにより、本実施形態では、紛失または盗難により、悪意のある第三者が処理装置を取得した場合であっても、なりすましによる処理装置の不正利用を防止することができる。
【００６２】
また、本実施形態では、第１の実施形態と同様に、顔画像を表示することで本人認証を行うため、指紋や静脈などの生体認証に必要な大規模システムが不要であり、システムの構築・導入コストを低減することができる。
【００６３】
以上、本発明の各実施の形態について説明してきたが、本発明の要旨を逸脱しない範囲において、本発明の実施の形態に対して種々の変形や変更を施すことができる。
【図面の簡単な説明】
【００６４】
【図１】第１の実施形態の携帯端末の概略構成図である。
【図２】第１の実施形態のその他の携帯端末の概略構成図である。
【図３】第１の実施形態の携帯端末の外観図および断面図である。
【図４】第１の実施形態の処理装置の概略構成図である。
【図５】第１の実施形態の処理のシーケンス図である。
【図６】第２の実施形態の携帯端末の概略構成図である。
【図７】第２の実施形態の処理装置の概略構成図である。
【図８】第２の実施形態の処理のシーケンス図である。
【図９】トランシーバを介してウェアラブルコンピュータを人間に装着して使用する場合の例を示す説明図である。
【符号の説明】
【００６５】
１      携帯端末
２、５  コンピュータ
３、３Ｂ、６  トランシーバ
２１    制御部
２２    表示部
２３    画像記憶部
２４    データ記憶部
２５    受付部
５１    制御部
５２    受付部
５３    処理部
５４    個人情報記憶部
５５    表示部
５６    画像記憶部
【図１】
2009224893.tif 000003
【図２】
2009224893.tif 000004
【図３】
2009224893.tif 000005
【図４】
2009224893.tif 000006
【図５】
2009224893.tif 000007
【図６】
2009224893.tif 000008
【図７】
2009224893.tif 000009
【図８】
2009224893.tif 000010
【図９】
2009224893.tif 000011